(57)【特許請求の範囲】
【請求項１】
筐体と、該筐体に設けられ、被操作機器に対する操作を受け付ける操作部と、該操作部が受け付けた操作に応じて前記被操作機器へ操作信号を送信する送信手段とを備える遠隔操作器において、
前記筐体に回転可能に設けられ、リング状をなし、前記操作部の周囲に設けられた回転部と、
該回転部の回転角を検出する回転角検出手段と、
前記操作部が受け付けた操作及び前記回転角検出手段が検出した回転角に応じて操作信号を生成する操作信号生成手段と、
前記回転部を回転駆動するモータと、
該モータを回転させる操作を受け付ける回転操作部と
を備え、
前記操作信号生成手段が生成した操作信号を前記送信手段で送信するようにしてあること
を特徴とする遠隔操作器。
【請求項２】
筐体と、該筐体に設けられ、被操作機器に対する操作を受け付ける操作部と、該操作部が受け付けた操作に応じて前記被操作機器へ操作信号を送信する送信手段とを備える遠隔操作器において、
前記筐体に回転可能に設けられ、リング状をなし、前記操作部の周囲に設けられた回転部と、
該回転部の回転角を検出する回転角検出手段と、
該回転角検出手段が検出した回転角に応じて、受け付ける操作内容の一部又は全部が異なる複数の操作受付状態の切り替えを行う切替手段と、
前記操作部が受け付けた操作及び前記切替手段が切り替えた操作受付状態に応じて操作信号を生成する操作信号生成手段と、
前記回転部を回転駆動するモータと、
該モータを回転させる操作を受け付ける回転操作部と
を備え、
前記操作信号生成手段が生成した操作信号を前記送信手段で送信するようにしてあること
を特徴とする遠隔操作器。
【請求項３】
前記被操作機器は、放送信号を受信する受信手段と、該受信手段が受信した放送信号を複数の記録媒体に記録する記録手段と、前記受信手段が受信した放送信号又は前記記録手段が記録した放送信号を表示する処理を行う表示処理手段を有する記録機器であり、
前記切替手段が切り替える複数の操作受付状態には、
前記表示処理手段が行う表示処理に係る操作を受け付ける表示操作受付状態と、
前記記録手段が行う記録処理に係る操作を受け付ける記録操作受付状態と、
一の記録媒体に記録された放送信号を他の記録媒体に記録する処理に係る操作を受け付ける再記録操作受付状態と
が含まれる請求項２に記載の遠隔操作器。
【請求項４】
操作に係る内容を表示する表示部を備え、
前記回転部が、前記表示部の周囲に設けられている請求項１から請求項３までのいずれか１つに記載の遠隔操作器。
【請求項５】
前記操作部は、操作に係る内容を表示する表示部及び該表示部を覆って設けられるタッチパネルを有し、
前記回転角検出手段が検出した回転角に応じて、前記表示部の表示を行うようにしてある請求項１から請求項４までのいずれか１つに記載の遠隔操作器。
【発明の詳細な説明】
【技術分野】
【０００１】
本発明は、テレビ、ビデオデッキ、ＤＶＤプレーヤ及びハードディスクレコーダ等の電気機器を遠隔操作する遠隔操作器に関する。
【背景技術】
【０００２】
遠隔操作器は、赤外線又は無線信号等の手段を用いて、ユーザからの操作要求を電気機器へ伝えるものであり、電気機器は遠隔操作器から与えられた操作要求に応じて動作する。近年においては、電気機器は多機能化しており、電気機器の多機能化に伴って遠隔操作器もまた多機能化し、遠隔操作器にはより多くのボタン及びスイッチ等が設けられる。
【０００３】
しかし、遠隔操作器は携帯性が求められるため、大型化には限度があり、配設可能なボタン及びスイッチ等の数に限度がある。また、遠隔操作器に多くのボタン及びスイッチを設けた場合には、操作がわかりにくく、ユーザが使用しにくいという問題がある。更には、電気機器のデザインと共に遠隔操作器のデザインも重要視される。よって、遠隔操作器は、携帯性、操作性及びデザインに優れている必要がある。
【０００４】
特許文献１においては、電気機器を遠隔操作する機能を有した腕時計が提案されている。この腕時計は、電気機器を操作するための操作データが記憶された複数のＲＯＭカートリッジを装着するための装着部と、ＲＯＭカートリッジから読み出した操作データを表示する表示部と、表示部の表示に基づいてユーザが操作を行うスイッチ部とを備えており、ＲＯＭカートリッジを交換することで、複数の電気機器を遠隔操作することができる。また、腕時計に遠隔操作の機能を設けているため携帯性に優れている。
【０００５】
一方、腕時計の時刻表示部の周囲を回転するレジスタリングを設け、レジスタリングを回転させて日付表示を行うカレンダー機能を有する腕時計が提案されている（特許文献２）。レジスタリングを用いることにより、腕時計のデザインを損なうことなく、腕時計に別の機能を付加できる。
【特許文献１】特開平６−３０３６７２号公報
【特許文献２】実開平６−６９８７５号公報
【発明の開示】
【発明が解決しようとする課題】
【０００６】
遠隔操作器、特に特許文献１に記載の遠隔操作機能を備える腕時計の場合には、ボタン及びスイッチ等を配設可能な数に制限があり、少ないボタン及びスイッチ等で電気機器の多機能化に対応するために、例えば表示部にメニューを表示し、ユーザがメニューの項目を順番に選択することで、所望の操作を行うようにできる。しかし、この場合、電気機器の機能が多いほど、深い階層を有するメニュー又は選択項目が多いメニューが必要であり、遠隔操作器の操作性が悪化するという問題がある。
【０００７】
本発明は、斯かる事情に鑑みてなされたものであって、その目的とするところは、回転部を設けて、操作部が操作された場合に、回転部の回転角に応じて、電気機器へ与える操作信号を変更する構成とすることにより、ユーザが操作しやすい遠隔操作器を提供することにある。
【０００８】
また本発明の他の目的とするところは、回転部を設けて、操作部が操作された場合に、回転部の回転角に応じて、操作内容が異なる複数の操作受付状態のうちの１つの状態に切り替える構成とすることにより、ユーザが操作しやすい遠隔操作器を提供することにある。
【０００９】
また本発明の他の目的とするところは、ハードディスクレコーダ、ＤＶＤ及びブルーレイディスク等の記録媒体に記録を行う記録機器の操作を行う場合に、記録機器に備えられたチューナが受信した放送信号又は記録媒体に記録された放送信号を表示するための操作を受け付ける表示操作受付状態（受信又は記録した番組をユーザが「見る」モード）と、放送信号を記録するための操作を受け付ける記録操作受付状態（受信した番組を「録る」モード）と、記録媒体に記録されている放送信号を他の記録媒体へ記録する再記録操作受付状態（記録媒体間のデータコピー又は移動を行う「ダビング」モード）とを、回転部の回転に応じて切り替える構成とすることにより、ユーザが直感的に操作でき、またユーザが誤操作しにくい遠隔操作器を提供することにある。
【００１０】
また本発明の他の目的とするところは、回転部をリング状とすることにより、回転部内に表示部又は操作部等を配設することができる遠隔操作器を提供することにある。
【００１１】
また本発明の他の目的とするところは、操作に係るボタン、アイコン又はメニュー等を表示する表示部の周囲にリング状の回転部を設ける構成とすることにより、限られたスペースを有効に活用して小型化できる遠隔操作器を提供することにある。
【００１２】
また本発明の他の目的とするところは、操作部の周囲にリング状の回転部を設ける構成とすることにより、限られたスペースを有効に活用して小型化できる遠隔操作器を提供することにある。
【００１３】
また本発明の他の目的とするところは、操作に係る内容を表示する表示部とタッチパネルとにより操作部を構成し、回転部の回転角に応じて表示内容を変更する構成とすることにより、多くの機能を少ないボタンで操作できる遠隔操作器を提供することにある。
【００１４】
また本発明の他の目的とするところは、回転部をモータにより回転させる構成とすることにより、回転部を回転させた場合に、回転部内に配された操作部が誤操作される虞がない遠隔操作器を提供することにある。
【課題を解決するための手段】
【００１５】
本発明に係る遠隔操作器は、筐体と、該筐体に設けられ、被操作機器に対する操作を受け付ける操作部と、該操作部が受け付けた操作に応じて前記被操作機器へ操作信号を送信する送信手段とを備える遠隔操作器において、前記筐体に回転可能に設けられ、リング状をなし、前記操作部の周囲に設けられた回転部と、該回転部の回転角を検出する回転角検出手段と、前記操作部が受け付けた操作及び前記回転角検出手段が検出した回転角に応じて操作信号を生成する操作信号生成手段と、前記回転部を回転駆動するモータと、該モータを回転させる操作を受け付ける回転操作部とを備え、前記操作信号生成手段が生成した操作信号を前記送信手段で送信するようにしてあることを特徴とする。
【００１６】
本発明においては、遠隔操作器に回転部を設け、回転部の回転角に応じて電気機器へ与える操作信号を変更する。ユーザは回転部の位置から遠隔操作器の操作内容を簡単に判別することができる。
また、回転部をリング状に構成する。これにより、ボタン及びスイッチ等を有する操作部、並びに液晶表示及びＬＥＤランプ等を有する表示部等を回転部の中に配設することが可能となる。
また、操作部の周囲にリング状の回転部を設ける。これにより、限られたスペースを有効に活用して操作部を配設することができる。
また、回転部を回転させるモータを設け、回転操作部が操作を受け付けた場合に、モータを回転させて回転部を回転させる。回転部内に操作部を設けた場合、特にタッチパネルによる操作部を設けた場合には、ユーザが回転部を回転させるときにタッチパネルに触れて誤操作する可能性があるが、回転部をモータにより自動で回転させるため、誤操作が起こらない。
【００１７】
また、本発明に係る遠隔操作器は、筐体と、該筐体に設けられ、被操作機器に対する操作を受け付ける操作部と、該操作部が受け付けた操作に応じて前記被操作機器へ操作信号を送信する送信手段とを備える遠隔操作器において、前記筐体に回転可能に設けられ、リング状をなし、前記操作部の周囲に設けられた回転部と、該回転部の回転角を検出する回転角検出手段と、該回転角検出手段が検出した回転角に応じて、受け付ける操作内容の一部又は全部が異なる複数の操作受付状態の切り替えを行う切替手段と、前記操作部が受け付けた操作及び前記切替手段が切り替えた操作受付状態に応じて操作信号を生成する操作信号生成手段と、前記回転部を回転駆動するモータと、該モータを回転させる操作を受け付ける回転操作部とを備え、前記操作信号生成手段が生成した操作信号を前記送信手段で送信するようにしてあることを特徴とする。
【００１８】
本発明においては、遠隔操作器に回転部を設け、回転部の回転角に応じて、操作内容が異なる複数の操作受付状態のうちの１つの状態に切り替える。遠隔操作器が複数の操作受付状態のうちのいずれの状態であるかを、ユーザは回転部の位置から簡単に判別することができる。
また、回転部をリング状に構成する。これにより、ボタン及びスイッチ等を有する操作部、並びに液晶表示及びＬＥＤランプ等を有する表示部等を回転部の中に配設することが可能となる。
また、操作部の周囲にリング状の回転部を設ける。これにより、限られたスペースを有効に活用して操作部を配設することができる。
また、回転部を回転させるモータを設け、回転操作部が操作を受け付けた場合に、モータを回転させて回転部を回転させる。回転部内に操作部を設けた場合、特にタッチパネルによる操作部を設けた場合には、ユーザが回転部を回転させるときにタッチパネルに触れて誤操作する可能性があるが、回転部をモータにより自動で回転させるため、誤操作が起こらない。
【００１９】
また、本発明に係る遠隔操作器は、前記被操作機器が、放送信号を受信する受信手段と、該受信手段が受信した放送信号を複数の記録媒体に記録する記録手段と、前記受信手段が受信した放送信号又は前記記録手段が記録した放送信号を表示する処理を行う表示処理手段を有する記録機器であり、前記切替手段が切り替える複数の操作受付状態には、前記表示処理手段が行う表示処理に係る操作を受け付ける表示操作受付状態と、前記記録手段が行う記録処理に係る操作を受け付ける記録操作受付状態と、一の記録媒体に記録された放送信号を他の記録媒体に記録する処理に係る操作を受け付ける再記録操作受付状態とが含まれることを特徴とする。
【００２０】
本発明においては、回転部を回転させて、記録機器を操作する場合の表示操作受付状態（「見る」モード）、記録操作受付状態（「録る」モード）及び再記録操作受付状態（「ダビング」モード）の切り替えを行う。操作内容が異なる各操作受付状態を独立させることにより、ユーザの誤操作が減少し、また、回転部の位置で３つの操作受付状態のうちのいずれの操作受付状態が選択されているかを簡単に判別できる。
【００２３】
また、本発明に係る遠隔操作器は、操作に係る内容を表示する表示部を備え、前記回転部が、前記表示部の周囲に設けられていることを特徴とする。
【００２４】
本発明においては、表示部の周囲にリング状の回転部を設ける。これにより、限られたスペースを有効に活用して表示部を配設することができる。
【００２７】
また、本発明に係る遠隔操作器は、前記操作部が、操作に係る内容を表示する表示部及び該表示部を覆って設けられるタッチパネルを有し、前記回転角検出手段が検出した回転角に応じて、前記表示部の表示を行うようにしてあることを特徴とする。
【００２８】
本発明においては、操作に係る内容を表示する表示部とタッチパネルとにより操作部を構成する。表示部の表示は回転部の回転角に応じて変更する。これにより、ボタン及びスイッチの配設スペースが限られる遠隔操作器であっても、多くの機能を操作できる。
【発明の効果】
【００３１】
本発明による場合は、回転部を設けて、操作部が操作された場合に、回転部の回転角に応じて、電気機器へ与える操作信号を変更する構成とすることにより、回転部の位置でユーザが遠隔操作器の操作内容を簡単に判別することができるため、操作性を向上させることができる。
【００３２】
また、本発明による場合は、回転部を設けて、操作部が操作された場合に、回転部の回転角に応じて、操作内容が異なる複数の操作受付状態のうちの１つの状態に切り替える構成とすることにより、回転部の位置でユーザが遠隔操作器の操作受付状態を簡単に判別できるため、操作性を向上させることができる。
【００３３】
また、本発明による場合は、遠隔操作器により記録機器の操作を行う場合に、表示操作受付状態（「見る」モード）、記録操作受付状態（「録る」モード）及び再記録操作受付状態（「ダビング」モード）を回転部の回転に応じて切り替える構成とすることにより、操作内容が異なる各操作受付状態が独立するためユーザの誤操作が減少する。また、回転部の位置で３つの操作受付状態のうちのいずれの操作受付状態が選択されているかを簡単に判別でき、ユーザが直感的に操作できるため、遠隔操作器の操作性を向上させることができる。
【００３４】
また、本発明による場合は、回転部をリング状とすることにより、回転部内に表示部又は操作部等を配設することができるため、遠隔操作器を小型化することができ、遠隔操作器の携帯性を向上させることができる。
【００３５】
また、本発明による場合は、表示部の周囲に回転部を設ける構成とすることにより、限られたスペースを有効に活用して表示部を遠隔操作器に配することができるため、遠隔操作器を小型化でき、遠隔操作器の携帯性を向上させることができる。
【００３６】
また、本発明による場合は、操作部の周囲に回転部を設ける構成とすることにより、限られたスペースを有効に活用して操作部を遠隔操作器に配することができるため、遠隔操作器を小型化でき、遠隔操作器の携帯性を向上させることができる。
【００３７】
また、本発明による場合は、表示部及びタッチパネルにより操作部を構成することにより、多くの機能を操作することができる。また、回転部の回転角に応じて表示内容を変更する構成とすることにより、多くの機能を操作する場合であっても、ユーザが直感的に表示部の表示を変更し、各機能を操作するメニュー又はボタン等を表示させて、簡単に操作を行うことができるため、遠隔操作器の操作性を向上させることができる。また、配設されるボタン又はスイッチ等が少なくできるため、遠隔操作器のデザインの自由度が高まり、デザイン性を向上させることができる。
【００３８】
また、本発明による場合は、回転部をモータにより回転させる構成とすることにより、回転部内に操作部を設けた場合、ユーザが回転部を回転させるときに操作部に触れて誤操作する虞がないため、遠隔操作器の操作性を向上させることができる。
【発明を実施するための最良の形態】
【００３９】
（実施の形態１）
以下、本発明をその実施の形態を示す図面に基づき具体的に説明する。図１は、本発明の実施の形態１に係る遠隔操作器の構成を示す平面図である。なお、本実施の形態の遠隔操作器は、ハードディスク、ＤＶＤ及びブルーレイディスクを備える動画記録装置（図示せず）の操作を行う遠隔操作器である。
【００４０】
図において１は遠隔操作器の筐体であり、筐体１は、略円形の板状の円形筐体部１ａと、円形筐体部１ａの側面に突設された略矩形の板状の矩形筐体部１ｂとを備えている。円形筐体部１ａは矩形筐体部１ｂより若干厚く、円形筐体部１ａ及び矩形筐体部１ｂの背面（図１に図示している面の反対面）は一体をなすように揃えられているため、筐体１の正面では円形筐体部１ａ及び矩形筐体部１ｂの境界に段差が形成されている。
【００４１】
また、円形筐体部１ａの側面には、矩形筐体部１ｂが突設された位置に対して略９０゜の位置に、側面操作部４が設けられている。側面操作部４には、電源ボタン、ハードディスク選択ボタン、ＤＶＤ選択ボタン及びブルーレイディスク選択ボタンの４つのボタンが配されている。電源ボタンは動画記録装置の電源をオン／オフするためのボタンであり、ハードディスク選択ボタン、ＤＶＤ選択ボタン及びブルーレイディスク選択ボタンは、動画記録装置の記録及び再生等を行う記録媒体の選択を行うためのボタンである。
【００４２】
更に、円形筐体部１ａの側面には、矩形筐体部１ｂが突設された位置の反対側に、赤外線発光部６が設けられている。ユーザからの操作要求は赤外線信号に変換され、赤外線発光部６から動画記録装置に備えられた赤外線受光部へ送られる。動画記録装置は、赤外線受光部にて受光した赤外線信号を電気信号に変換して操作要求を得て、操作要求に応じて動作を行うようにしてある。
【００４３】
円形筐体部１ａの正面には、円形筐体部１ａと同心の略円形の表示操作部３が設けられている。表示操作部３は、後述の液晶パネル及びタッチパネルを備えており、ユーザが操作を行うためのボタン、アイコン又はメニュー等が液晶パネルに表示され、液晶パネルに表示されたボタン、アイコン又はメニュー等にユーザが触れたか否かがタッチパネルにて検出される。
【００４４】
また、円形筐体部１ａの正面には、表示操作部３の周囲を回転する回転リング２が設けられている。回転リング２の内径は表示操作部３の直径と略等しく、回転リング２の外径は円形筐体部１ａの直径より小さい。よって、表示操作部３、回転リング２及び円形筐体部１ａが、この順に内側から同心円をなすように配されている。
【００４５】
回転リング２は、３つの等しい円弧領域に区分けされており、各領域には「見る」、「録る」及び「ダビング」の文字が付されている。また、円形筐体部１ａの正面には、赤外線発光部６と回転リング２との間の位置に、略逆三角形の選択マーク７が付されている。回転リング２は、遠隔操作器の動作モードを示すものであり、回転されて選択マーク７の位置にある「見る」、「録る」及び「ダビング」の３つの領域の１つが、選択されている動作モードである。
【００４６】
「見る」は、遠隔操作器により操作される記録装置に備えられたチューナを用いて受信した放送信号に係る番組を視聴する、及び、ハードディスク、ＤＶＤ又はブルーレイディスクの記録媒体に記録された番組を再生して視聴する場合の操作を受け付けるモード（表示操作受付状態）である。「録る」は、番組のタイマー予約又はキーワード予約等の録画予約を設定する場合の操作を受け付けるモード（記録操作受付状態）である。また、「ダビング」は、ハードディスク、ＤＶＤ及びブルーレイディスクの記録媒体のいずれかに記録されている番組のデータを、他の記録媒体にコピー又は移動等する場合の操作を受け付けるモード（再記録操作受付状態）である。これらの各モードに応じて、表示操作部３に表示されるメニュー又はボタン等が変更され、所望の操作に必要なメニュー又はボタン等が表示される。
【００４７】
矩形筐体部１ｂの正面にはダイレクト操作部５が設けられている。ダイレクト操作部５には、カーソルキー５ａ、回転方向切替スイッチ５ｂ及び回転ボタン５ｃが備えられており、「見る」、「録る」及び「ダビング」の各モードに共通で用いられる。カーソルキー５ａは、メニューの選択に用いられると共に、例えば「見る」モードの場合に再生、停止、早送り及び巻き戻し等の操作を行うことができるようにしてある。
【００４８】
回転方向切替スイッチ５ｂは、回転リング２の回転方向を切り替えるためのスイッチであり、左又は右のどちらか一方が選択される切替スイッチである。また、回転ボタン５ｃは、回転リング２を回転させるためのボタンであり、回転ボタン５ｃを押下することにより、回転方向切替スイッチ５ｂで選択された方向に回転リング２が回転する。回転リング２の回転は、後述のモータにより自動的に行われるものであり、ユーザが直接回転させることができないようにしてある。
【００４９】
図２は、本発明の実施の形態１に係る遠隔操作器の構成を示す模式的断面図であり、遠隔操作器の円形筐体部１ａの断面を模式的に示すものである。表示操作部３の表示に係る処理を行う液晶パネル１３と、回転リング２とは、円形筐体部１ａの内部に収容され、略円形のガラス板１２で表面が覆われている。これにより、液晶パネル１３及び回転リング２にユーザが直接触れることができないようにしてある。
【００５０】
ガラス板１２の表面には、液晶パネル１３を覆うようにタッチパネル１１が着設してある。これにより、液晶パネル１３に表示されたメニュー及びボタン等にガラス板１２を介してユーザが触れたことを感知することができる。タッチパネル１１はアナログ抵抗膜方式のタッチパネルである。アナログ抵抗膜方式のタッチパネルは、対向して配される２枚の薄いフィルムの対向面にそれぞれ透明導電物質であるＩＴＯ（Ｉｎｄｉｕｍ  Ｔｉｎ  Ｏｘｉｄｅ）が製膜され、２枚のフィルムの間に複数のドットスペーサが並設されている。ユーザがタッチパネル１１に触れた場合には、２枚のフィルムのＩＴＯ膜が接触して導通するため、接触を感知することができる。
【００５１】
回転リング２のガラス板１２で覆われる面には、上述の通り「見る」、「録る」及び「ダビング」の文字が記載されており、この反対面は回転リング２の外側に向けて傾斜した複数の歯が形成された歯部１６である。また、円形筐体部１ａ内には、回転リング２の歯部１６と噛合する略円錐台形の歯車１５と、歯車１５を回転させるモータ１４とが備えられている。回転リング２の歯部１６と歯車１５とは、所謂かさ歯車をなすものであり、回転リング２の回転軸と歯車１５及びモータ１４の回転軸とが略直交するように配されている。
【００５２】
上述のタッチパネル１１、液晶パネル１３、モータ１４及び赤外線発光部６は、円形筐体部１ａ内に収容された回路基板１７に図示しないリード線又はリードピン等を介して電気的に接続される。回路基板１７には、液晶パネル１３及びモータ１４を駆動するための各駆動回路、並びに回路基板１７に接続された各部を制御する制御回路等が設けられている。
【００５３】
図３は、本発明の実施の形態１に係る遠隔操作器の構成を示すブロック図である。図３において２１は遠隔操作器の動作を制御する制御部であり、制御部２１が液晶パネル１３の表示、赤外線発光部６による記録装置への操作信号の送信、及びモータ１４による回転リング２の回転等の動作を制御している。
【００５４】
制御部２１には、タッチパネル１１、側面操作部４及びダイレクト操作部５から、ユーザによる操作の有無及び操作内容等が与えられており、制御部２１は、ユーザの操作に応じて記録装置を操作するための操作信号を生成する。制御部２１からの操作信号は赤外線発光部６へ与えられ、赤外線発光部６にて赤外線の信号に変換されて、記録装置へ送られる。
【００５５】
また、制御部２１は、ダイレクト操作部５の回転ボタン５ｃが押下された場合、モータドライバ２２にモータ１４の回転命令を与えて、回転リング２の回転を行う。このとき、回転命令と共に、回転方向切替スイッチ５ｂにより指定される回転リング２の回転方向が制御部２１からモータドライバ２２へ与えられる。
【００５６】
モータ１４は５相の励磁相を有するステッピングモータであり、モータドライバ２２は、制御部２１からの回転命令に応じてパルス信号を発生し、パルス信号によってモータ１４の５つの励磁相の印加電圧を変化させてモータ１４を回転させる。この場合、５つのパルスでモータ１４が一回転する。
【００５７】
また、モータドライバ２２は、制御部２１からの回転命令に応じてモータ１４を回転させた間に発生したパルス数を記憶しており、このパルス数がモータドライバ２２から制御部２１へ与えられる。制御部２１は与えられたパルス数からモータ１４の回転数を算出し、回転リング２の回転角を算出することができる。更に、回転リング２の回転角から、回転リング２に記載された「見る」、「録る」及び「ダビング」のいずれが選択マーク７により選択されているかを判定することができる。この判定の結果に応じて制御部２１は遠隔操作器の動作モードを変更し、動作モードに応じて液晶パネル１３の表示を変更する。
【００５８】
図４は、本発明の実施の形態１に係る遠隔操作器の回転ボタン５ｃが押下された場合に制御部２１が行う処理を示すフローチャートである。制御部２１は、ダイレクト操作部５の回転ボタン５ｃがユーザにより押下されたか否かを調べ（ステップＳ１）、回転ボタン５ｃが押下されていない場合は（Ｓ１：ＮＯ）、回転ボタン５ｃが押下されるまで待機する。回転ボタン５ｃが押下された場合（Ｓ１：ＹＥＳ）、モータドライバ２２に回転開始の命令を与えてモータ１４の回転を開始する（ステップＳ２）。モータ１４が回転を開始することにより、回転リング２が回転する。
【００５９】
その後、回転ボタン５ｃの押下が解除されたか否かを調べ（ステップＳ３）、押下が解除されていない場合（Ｓ３：ＮＯ）、押下が解除されるまで待機する。回転ボタン５ｃの押下が解除された場合（Ｓ３：ＹＥＳ）、モータドライバ２２に回転終了の命令を与えてモータ１４の回転を終了する（ステップＳ４）。
【００６０】
次いで、モータ１４の回転開始から回転終了までの間にモータ１４に与えられたパルス信号のパルス数を、モータドライバ２２から得る（ステップＳ５）。得られたパルス数から回転リング２の回転角を算出し（ステップＳ６）、回転リング２の「見る」、「録る」及び「ダビング」のいずれのモードが選択されているかを判定する（ステップＳ７）。判定に応じて遠隔操作器の動作モードを変更し（ステップＳ８）、変更された動作モードに応じて液晶パネル１３の表示を変更して（ステップＳ９）、処理を終了する。
【００６１】
図５は、本発明の実施の形態１に係る遠隔操作器の表示操作部３の表示例である。図５において、（ａ）は「見る」モードの表示例であり、（ｂ）は「録る」モードの表示例であり、また、（ｃ）は「ダビング」モードの表示例である。
【００６２】
「見る」モードにおいて、記録装置のチューナが受信した番組を直接視聴する場合、表示操作部３にはチューナが受信するチャンネルを切り替えるための１２個のチャンネルボタンが表示される。ユーザは表示されたチャンネルボタンに触れることで、チャンネルを切り替えて所望の番組を視聴することができる。また、例えば記録媒体に記録された番組の視聴をする場合には、再生、停止、早送り、巻き戻し及び一時停止等のボタンが表示される。
【００６３】
「録る」モードにおいて、時刻を指定してタイマー予約を行う場合、表示操作部３には録画を行うチャンネルを指定するチャンネルボタン、録画の開始時刻を指定する開始ボタン、録画の終了時刻を指定する終了ボタン及び録画の画質を指定する画質ボタンが表示される。例えば、ユーザがチャンネルボタンに触れた場合には、表示操作部３の表示が（ａ）に示すようなチャンネル選択を行う表示に変更される。また、例えば、キーワードを入力して番組の自動録画を行う場合には、表示操作部３にキーワードを入力するための文字入力画面（図示は省略する）が表示される。
【００６４】
「ダビング」モードにおいては、ダビングを行う番組が記録されている記録媒体及び番組のダビング先の記録媒体を選択するためのＨＤ（ハードディスク）ボタン、ＤＶＤボタン及びＢＤ（ブルーレイディスク）ボタンがそれぞれ１つずつ表示される。ユーザが記録媒体をそれぞれ選択することで、記録装置に接続された表示装置に、ダビング元として選択された記録媒体に記録済みの番組のサムネイルが表示され、ダビング先の記録媒体の記録可能容量が表示される。
【００６５】
以上の構成の遠隔操作器においては、遠隔操作器の動作モードを回転リング２の回転に応じて変更する構成とすることにより、遠隔操作器の動作モードをユーザが一目で判断できるため、操作性を向上することができる。また、液晶パネル１３及びタッチパネル１１による表示操作部３を備えることにより、遠隔操作器がより多くの機能を備えることができる。また、回転リング２をモータ１４により回転させる構成とすることにより、回転リング２を回転させる場合に誤ってタッチパネル１１に触れる虞がないため、誤操作を防止することができる。
【００６６】
なお、本実施の形態においては、回転リング２を「見る」、「録る」及び「ダビング」の３つの項目に分割する構成を示したが、これに限るものではなく、例えば、「見る（チューナ）」、「再生」、「タイマー録画」、「キーワード録画」、「ダビング」及び「画質設定」等のより多くの項目に分割する構成としてもよい。また、側面操作部４及びダイレクト操作部５に備えたボタン及びスイッチ等は一例であり、これに限るものではない。また、図５に示す表示操作部３の表示は一例であり、これに限るものではない。また、回転リング２をモータ１４により回転させる構成を示したが、これに限るものではなく、モータ１４を備えずに、ユーザが直接回転させる構成としてもよい。この場合、回転リング２はガラス板１２で覆わず、円形筐体部１ａから露出させる構成とすることで、ユーザが操作可能となる。また、タッチパネル１１をアナログ抵抗膜方式のタッチパネルとしたが、これに限るものではなく、例えば、アナログ容量結合方式のタッチパネルを用いてもよく、更には、赤外線センサ方式又は超音波方式等のタッチパネルを用いてもよい。
【００６７】
（実施の形態２）
図６は、本発明の実施の形態２に係る遠隔操作器の構成を示す平面図である。実施の形態２に係る遠隔操作器は、円形筐体部１ａに設けられた回転リング５２の内部に、液晶パネル及びタッチパネルによる表示操作部ではなく、カーソルキー及び複数のボタンを有する第１操作部５３が配されている。また、円形筐体部１ａの側面には電源ボタン５４のみ設けられている。回転リング５２は、「ＨＤ（ハードディスク）」、「ＤＶＤ」及び「ＢＤ（ブルーレイディスク）」の３つの項目に分割されており、回転リング５２の回転に応じて遠隔操作器が操作を行う操作対象の記録媒体を変更するようにしてある。また、矩形筐体部１ｂには、１２個のボタンで構成されるチャンネル選択ボタン５５ａ、回転方向切替スイッチ５ｂ及び回転ボタン５ｃを有する第２操作部５５が配されている。更に、矩形筐体部１ｂの突出端部の側面、及びこれと反対側の円形筐体部１ａの側面には、帯状のバンド部５６、５６がそれぞれ設けられており、遠隔操作器をユーザの腕に装着できるようにしてある。
【００６８】
図７は、本発明の実施の形態２に係る遠隔操作器の構成を示すブロック図である。図７において６１は遠隔操作器の動作を制御する制御部である。制御部６１は、第１操作部５３、第２操作部５５及び電源スイッチ５４から、ユーザによる操作の有無及び操作内容等が与えられており、ユーザの操作に応じて記録装置を操作するための操作信号を生成する。制御部６１からの操作信号は赤外線発光部６へ与えられ、赤外線発光部６にて赤外線の信号に変換されて、記録装置へ送られる。また、制御部６１は、モータドライバ２２に回転命令を与えてモータ１４を回転させ、回転リング５２を回転させる。更に、制御部６１には、モータドライバ２２からモータ１４を回転させたときのパルス信号のパルス数が与えられ、パルス数から回転リング５２の回転角を算出することができる。
【００６９】
図８は、本発明の実施の形態２に係る遠隔操作器の回転ボタン５ｃが押下された場合に制御部６１が行う処理を示すフローチャートである。制御部６１は、回転ボタン５ｃがユーザにより押下されたか否かを調べ（ステップＳ２１）、回転ボタン５ｃが押下されていない場合は（Ｓ２１：ＮＯ）、回転ボタン５ｃが押下されるまで待機する。回転ボタン５ｃが押下された場合（Ｓ２１：ＹＥＳ）、モータドライバ２２に回転開始の命令を与えてモータ１４の回転を開始する（ステップＳ２２）。モータ１４が回転を開始することにより、回転リング５２が回転する。
【００７０】
その後、回転ボタン５ｃの押下が解除されたか否かを調べ（ステップＳ２３）、押下が解除されていない場合（Ｓ２３：ＮＯ）、押下が解除されるまで待機する。回転ボタン５ｃの押下が解除された場合（Ｓ２３：ＹＥＳ）、モータドライバ２２に回転終了の命令を与えてモータ１４の回転を終了する（ステップＳ２４）。
【００７１】
次いで、モータ１４の回転開始から回転終了までの間にモータ１４に与えられたパルス信号のパルス数を、モータドライバ２２から得る（ステップＳ２５）。得られたステップ数から回転リング２の回転角を算出し（ステップＳ２６）、「ＨＤ」、「ＤＶＤ」及び「ＢＤ」のいずれの記録媒体が選択されているかを判定する（ステップＳ２７）。判定に応じて操作対象の記録媒体を変更し（ステップＳ２８）、処理を終了する。
【００７２】
図９は、本発明の実施の形態２に係る遠隔操作器の第１操作部５３が操作された場合に制御部６１が行う処理を示すフローチャートである。制御部６１は、第１操作部５３が操作されたか否かを調べ（ステップＳ４１）、第１操作部５３が操作されていない場合（Ｓ４１：ＮＯ）、第１操作部５３が操作されるまで待機する。
【００７３】
第１操作部５３が操作された場合（Ｓ４１：ＹＥＳ）、回転リング５２により選択されている操作対象の記録媒体がＨＤであるか否かを調べる（ステップＳ４２）。また、操作対象の記録媒体がＨＤでない場合（Ｓ４２：ＮＯ）、操作対象の記録媒体がＤＶＤであるか否かを調べる（ステップＳ４３）。ステップＳ４２にて、操作対象の記録媒体がＨＤである場合（Ｓ４２：ＹＥＳ）、操作された第１操作部５３のボタン又はスイッチ等に応じてＨＤを操作するための操作信号を作成する（ステップＳ４４）。また、ステップＳ４３にて、操作対象の記録媒体がＤＶＤである場合（Ｓ４３：ＹＥＳ）、ＤＶＤを操作するための操作信号を作成する（ステップＳ４５）。ステップＳ４３にて、操作対象の記録媒体がＤＶＤでない場合（Ｓ４３：ＮＯ）、操作対象の記録媒体はＢＤであるので、ＢＤを操作するための操作信号を作成する（ステップＳ４６）。
【００７４】
ステップＳ４４〜Ｓ４６にて、ユーザの操作に応じた操作信号を生成した後、生成した操作信号を赤外線発光部６に与えて、赤外線発光部６から記録装置へ操作信号を送信し（ステップＳ４７）、処理を終了する。
【００７５】
以上の構成の実施の形態２に係る遠隔操作器においては、回転リング５２の回転に応じて操作対象の記録媒体を変更する構成とすることにより、操作対象の記録媒体が一目で判断できるため、誤操作を防止することができる。なお、バンド部５６、５６は備えない構成であってもよい。
【００７６】
なお、実施の形態２に係る遠隔操作器のその他の構成は、実施の形態１に係る遠隔操作器の構成と同様であるため、対応する箇所には同じ符号を付して詳細な説明を省略する。
【図面の簡単な説明】
【００７７】
【図１】本発明の実施の形態１に係る遠隔操作器の構成を示す平面図である。
【図２】本発明の実施の形態１に係る遠隔操作器の構成を示す模式的断面図である。
【図３】本発明の実施の形態１に係る遠隔操作器の構成を示すブロック図である。
【図４】本発明の実施の形態１に係る遠隔操作器の回転ボタンが押下された場合に制御部が行う処理を示すフローチャートである。
【図５】本発明の実施の形態１に係る遠隔操作器の表示操作部の表示例である。
【図６】本発明の実施の形態２に係る遠隔操作器の構成を示す平面図である。
【図７】本発明の実施の形態２に係る遠隔操作器の構成を示すブロック図である。
【図８】本発明の実施の形態２に係る遠隔操作器の回転ボタンが押下された場合に制御部が行う処理を示すフローチャートである。
【図９】本発明の実施の形態２に係る遠隔操作器の第１操作部が操作された場合に制御部が行う処理を示すフローチャートである。
【符号の説明】
【００７８】
１  筐体
１ａ  円形筐体部
１ｂ  矩形筐体部
２、５２  回転リング（回転部）
３  表示操作部
５  ダイレクト操作部
５ｂ  回転方向切替スイッチ
５ｃ  回転ボタン（回転操作部）
６  赤外線発光部
７  選択マーク
１１  タッチパネル
１３  液晶パネル
１４  モータ
１５  歯車
１６  歯部
２１、６１  制御部
２２  モータドライバ
５３  第１操作部
５５  第２操作部
５６  バンド部
【図１】
0004587905.tif 000002
【図２】
0004587905.tif 000003
【図３】
0004587905.tif 000004
【図４】
0004587905.tif 000005
【図５】
0004587905.tif 000006
【図６】
0004587905.tif 000007
【図７】
0004587905.tif 000008
【図８】
0004587905.tif 000009
【図９】
0004587905.tif 000010